(57)【要約】治療部位に対し瞬間的に熱痛刺激を与える燔（はん）鍼を電気的に簡単に行う。押しボタンスイッチ１４の押圧により通電されると、第２の表示ＬＥＤ１７を点灯し、通  電状態であることを使用者に報知する。押しボタンスイッチ１４の押圧の際にサーミスタ１１によって検知される治療部位の温度に対応する信号が温度制御回路３１Ａにフードバックされ、サーミスタ１１が目標温度になるまで通電が継続され、目標温度になると、通電が遮断されるようになっている。通電監視回路３１Ｂには、タイマー回路３１Ｃが接続され、通電時間が一定時間以上継続されると、通電を遮断する。通電監視回路３１Ｂは、電池５の電圧を監視する機能を有し、電池５の電圧が設定電圧以下の低電圧になると、第１の表示ＬＥＤ１６を点灯し、電池５が消耗していることを報知する。
2009098905.tif 000002
【特許請求の範囲】
【請求項１】
治療器本体の先端部に小径の発熱素子を露出して備え、前記発熱素子を治療部位に対し直接接触させた状態で通電して、瞬間的に熱痛刺激を与える燔（はん）鍼治療器であって、
前記発熱素子は、サーミスタで構成され、
前記治療器本体は、乾電池あるいは充電池からなる電源と、前記サーミスタと前記電源との間に設けられ押圧により前記サーミスタに通電させる押しボタンスイッチと、前記サーミスタの温度を管理あるいは制御するための制御回路が設けられた回路基板とを筒状のケーシング内に備え、
前記制御回路に、前記押しボタンスイッチの押圧の際に前記サーミスタからの温度信号を受け前記サーミスタが目標温度になるまで通電を継続する温度制御回路を含むことを特徴とする燔（はん）鍼治療器。
【請求項２】
前記サーミスタは、前記治療部位との接触面積が０．７５〜２．０ｍｍ2の範囲に設定されていることを特徴とする請求項１記載の燔（はん）鍼治療器。
【請求項３】
前記目標温度は、６２℃〜７０℃の範囲に設定されていることを特徴とする請求項１または２記載の燔（はん）鍼治療器。
【請求項４】
前記筒状のケーシングは、前記発熱素子に対応する大きさを有する前側円筒部を有し、前記回路基板は、前記前側円筒部内に配置され先端部が前記前側円筒部の先端開口付近に位置する前側基板部を有し、
前記サーミスタが、前記前側基板部の先端部に取付固定されると共に前記基板部の配線パターンに電気的に接続されていることを特徴とする請求項１〜３のいずれかに記載の燔（はん）鍼治療器。
【請求項５】
前記サーミスタは、サーミスタ本体の両側に電極部を備え、前記前側基板部の先端部は平坦な先端面を有するものであり、
前記サーミスタのサーミスタ取付面を前記先端面に接触させた状態で、前記前側基板部の配線パターンにハンダにより電気的に接続されると共に取付固定され、
前記サーミスタと前記前側円筒部の内周面との間の空間部に充填剤が充填されていることを特徴とする請求項１〜４のいずれかに記載の燔（はん）鍼治療器。
【請求項６】
前記温度制御回路と前記押しボタンスイッチとの間に設けられ前記電源から前記温度制御回路への通電を監視する通電監視回路と、
この通電監視回路に連係され、前記電源から前記温度制御回路への通電時間が一定時間を超えると、前記通電監視回路にて前記サーミスタへの通電を遮断するタイマー回路とを備えることを特徴とする請求項１〜５のいずれかに記載の燔（はん）鍼治療器。
【請求項７】
前記温度制御回路には、通電表示ＬＥＤ又は通電報知ブザーで構成され通電時に点灯若しくは点滅又は鳴動する通電報知手段が接続されていることを特徴とする請求項１〜６のいずれかに記載の燔（はん）鍼治療器。
【請求項８】
前記通電監視回路には、前記電源電圧が設定電圧以下になると点灯若しくは点滅する電池消耗表示ＬＥＤが接続されていることを特徴とする請求項６記載の燔（はん）鍼治療器。
【発明の詳細な説明】
【技術分野】
【０００１】
本発明は、燔（はん）鍼治療器に関するものである。
【背景技術】
【０００２】
一般に、動作時のつっぱり、引きつり、痙攣、痛みなどの経筋病に対する鍼治療の方法として、局所の圧痛点への鍼刺激あるいは低周波鍼通電が多く行われている。そのような鍼治療の方法として、従来、燔（はん）鍼（焼き鍼：鍼先を赤くなるまであぶり、それを皮膚に接触あるいは刺入する方法）で、劫刺（速刺速抜する刺法）する燔（はん）鍼治療が知られている。【０００３】
この燔（はん）鍼治療は、瞬間的に熱痛刺激を与えるのが原則であり、約２千年前に記述された『黄帝内経霊枢』第１３篇のなかで、「燔（はん）鍼劫刺」（燔（はん）鍼で速刺速抜）ということが明記されている。そして、(i) 燔（はん）鍼により同一カ所に３回以上反復して熱刺激を与えるので、火傷を来す可能性が極めて高いこと、(ii)温感から熱感ではなく、熱痛感覚を与えること、(iii)通常の温灸の皮膚への刺激面積が大きいのに対して、燔（はん）鍼治療による刺激面積は、有瘢痕灸に近似して極めて小さいこと、などの特徴を有する。一方、温灸は無痕灸の範疇に入り、艾を皮膚面上において直接皮膚を焼灼する有痕灸（直接灸、有瘢痕灸）とは異なり、皮膚と艾の間に生姜やニンニクといったものを介在させたり、皮膚と熱源との間に一定の空間を設けて温熱刺激を加えるもので、生体に瘢痕を残さない灸法をいい（尾崎昭広：図解・鍼灸臨床手技の実際、医歯薬出版、ｐｐ26-28，1994）、燔（はん）鍼治療とは根本的に異なるものである。【０００４】
このような燔（はん）鍼による刺激は、患者に恐怖感を与えるおそれがある。また、燔（はん）鍼による治療を行うには、技術を習得する必要がある。さらに、上手に刺激しても、やけどによる小さな瘢痕が残るおそれがある。【０００５】
ところで、ニクロム線やフィルムヒータなどを用いて、熱を発生させて、それを熱源として温熱治療を行う温熱治療器や、絶縁性を有する熱伝導層の内部に正特性サーミスタ発熱体を装備した温灸器は知られている（例えば、特許文献１，２参照）。【０００６】
そこで、発明者らは、鋭意研究を重ねた結果、前記特許文献１，２の技術を利用して、燔（はん）鍼治療器を電気式として、治療部位に対し小径の加熱部を接触させ、瞬間的に熱痛刺激を与えるようにすれば、鍼を炙って刺入しなくても、小径の尖端（加熱部）で熱痛刺激を加えることができることに着想した。
【特許文献１】特開２００４−０４１５３０号公報（段落００１９および図１）
【特許文献２】実開平３−５２５１５号公報（第４欄第１１行〜第２５行および図２）
【発明の開示】
【発明が解決しようとする課題】
【０００７】
しかしながら、前記特許文献１，２の技術では、パワートランジスタが発生する熱によって金属板を介して加熱されるセラミック板や、正特性サーミスタ発熱体が発生する熱によって熱伝導層を介して加熱される突起部を、治療部位に接触させる構造であるので、燔（はん）鍼治療のために、治療部位に接触させる加熱部を小径として、その加熱部の温度制御を行ったとしても、その加熱部の温度制御に遅れが生じ、瞬間的に熱痛刺激を与えるのが困難である。その一方、治療部位（皮膚）に加熱部を直接接触させるので、やけどを回避する必要もある。【０００８】
そこで、本発明の主眼として、加熱部を、サーミスタ機能を有する発熱素子そのもので構成すれば、温度制御の応答性にも優れ、瞬間的に熱痛刺激を与えることができることを見出し、本発明をなすに至ったものである。【０００９】
また、燔（はん）鍼治療器は、何度施術しても火傷などを起こさないことが前提であり、温熱刺激も温感から軽度の熱感覚までの温度設定とする必要があり、従来の灸治療器と比しても、手軽で、装置が非常に小さく、安全性に優れ、効果的な治療器とすることが求められる。それに加えて、動作時のつっぱり、引きつり、痛みといった経筋病に対する治療原則が瞬間的な熱痛刺激を与えることであるので、その原理を再現できることも求められる。【００１０】
予備実験として、皮膚面上で燔（はん）鍼治療器を使って、温度設定を６０℃、７０℃、８０℃で実施したとき、８０℃では一回刺激においても第１度の火傷が生じる可能性があることを確認している。一方、６０℃では温熱感覚はあるが、刺激感が弱いために、効果を期待することが困難と思われた。さらに、７０℃では、火傷は生じないものの、熱痛感覚よりやや痛み感覚が強くなることも検証した。したがって、火傷が生じることなく、熱痛感覚を与える温度設定として、６０℃を超え７０℃以下であれば問題ないと考えられるが、６５℃が理想的であると判断した。【００１１】
そのため、燔（はん）鍼治療には、１秒程度の短時間で６５℃といった熱痛感覚を与えることが必要で、そのためには、皮膚に接触させる加熱部を可能な限り小さくする必要がある。【００１２】
つまり、燔（はん）鍼治療自体が鍼を加熱して皮膚に接触あるいは刺鍼する方法であることから、鍼に変わる加熱刺激が重要であり、サーミスタ機能を有する発熱素子は小さいことが求められる。【００１３】
再現性を追求しながら一定温度を短時間で再現するには、発熱素子は可能な限り小さくして、発熱素子を直接皮膚に当てることが理想である。但し、異常な高温に達する可能性を極力回避しなければならないことはいうまでもない。【００１４】
本発明は、治療部位に対し熱痛刺激を瞬間的に与える燔（はん）鍼を電気的に安全かつ簡単に行うことができる燔（はん）鍼治療器を提供することを目的とする。
【課題を解決するための手段】
【００１５】
本発明は、治療器本体の先端部に小径の発熱素子を露出して備え、前記発熱素子を治療部位に対し直接接触させた状態で通電して、瞬間的に熱痛刺激を与える燔（はん）鍼治療器であって、前記発熱素子は、サーミスタで構成され、前記治療器本体は、乾電池あるいは充電池からなる電源と、前記サーミスタと前記電源との間に設けられ押圧により前記サーミスタに通電させる押しボタンスイッチと、前記サーミスタの温度を管理あるいは制御するための制御回路が設けられた回路基板とを筒状のケーシング内に備え、前記制御回路に、前記押しボタンスイッチの押圧の際に前記サーミスタからの温度信号を受け前記サーミスタが目標温度になるまで通電を継続する温度制御回路を含むことを特徴とする。ここで、押しボタンスイッチとは、押している間だけ、回路を閉じているスイッチを意味し、プッシュスイッチともいう。【００１６】
このようにすれば、治療部位（皮膚）に対しサーミスタ（発熱素子）を直接接触させた状態で、押しボタンスイッチを押すだけで前記サーミスタに電流が流れ、熱痛刺激が瞬間的に与えられる。このように、治療部位に接触させて、押しボタンスイッチを押すだけであるので、燔（はん）鍼を電気的に簡単に行うことができる。特に発熱素子としてサーミスタを直接治療部位に接触させるようにしているので、皮膚による吸熱があっても、サーミスタを目標温度まで瞬間的に高めることができる。【００１７】
前記発熱素子は接触面積は、熱痛刺激を瞬間的かつ局所的に与えるという燔（はん）鍼治療ができる大きさであれば特に制限されないが、請求項２に記載のように、前記サーミスタは、前記治療部位との接触面積が０．７５〜２．０ｍｍ2の範囲に設定されていることが望ましい。【００１８】
このようにすれば、発熱素子の接触面積が０．７５〜２．０ｍｍ2の範囲と小さいので、燔（はん）鍼治療に必要な熱痛刺激を瞬間的かつ局所的に与えることができる。【００１９】
前記発熱素子の目標温度も、同様に、熱痛刺激を瞬間的かつ局所的に与えるという燔（はん）鍼治療ができる温度範囲であれば特に制限されないが、請求項３に記載のように、前記目標温度は、６２℃〜７０℃の範囲に設定されていることが望ましい。【００２０】
このようにすれば、火傷を生じることなく、燔（はん）鍼治療に必要な熱痛感覚を得ることができる。【００２１】
請求項４に記載のように、前記筒状のケーシングは、前記発熱素子に対応する大きさを有する前側円筒部を有し、前記回路基板は、前記前側円筒部内に配置され先端部が前記前側円筒部の先端開口付近に位置する前側基板部を有し、前記サーミスタが、前記前側基板部の先端部に取付固定されると共に前記基板部の配線パターンに電気的に接続されている構成とすることが可能である。【００２２】
このようにすれば、回路基板の前側基板部を利用して、簡単な構成で、サーミスタが、前記前側基板部の先端部に取付固定されると共に、前記基板部の配線パターンに電気的に接続される。【００２３】
請求項５に記載のように、前記サーミスタは、サーミスタ本体の両側に電極部を備え、前記前側基板部の先端部は平坦な先端面を有するものであり、前記サーミスタのサーミスタ取付面を前記先端面に接触させた状態で、前記前側基板部の配線パターンにハンダにより電気的に接続されると共に取付固定され、前記サーミスタと前記前側円筒部の内周面との間の空間部に充填剤が充填されていることが望ましい。【００２４】
このようにすれば、サーミスタのサーミスタ取付面を前側基板部の平坦な先端面に接触させた状態で、前記前側基板部の配線パターンにハンダにより電気的に接続されると共に取付固定されるので、前側基板部の平坦な先端面を利用して精度よく取り付けることができ、また、前記サーミスタと前記前側円筒部の内周面との間の空間部に充填剤が充填されているので、前記発熱素子を治療部位に対し直接接触させる使用を繰り返しても、サーミスタが外れることなく、長期にわたって安定して使用することができる。【００２５】
請求項６に記載のように、前記温度制御回路と前記押しボタンスイッチとの間に設けられ前記電源から前記温度制御回路への通電を監視する通電監視回路と、この通電監視回路に連係され、前記電源から前記温度制御回路への通電時間が一定時間を超えると、前記通電監視回路にて前記サーミスタへの通電を遮断するタイマー回路とを備える構成とすることができる。【００２６】
このようにすれば、電源電圧の低下や電源制御回路の故障などにより通電時間が異常に長くなるのが防止される。よって、目標温度に達することなく、通電時間が長くなって、低温やけどが発生するなどの不具合が回避される。【００２７】
請求項７に記載のように、前記温度制御回路には、通電表示ＬＥＤ又は通電報知ブザーで構成され通電時に点灯若しくは点滅又は鳴動する通電報知手段が接続されていることが望ましい。【００２８】
このようにすれば、通電報知手段により、通電状態にあることを視覚的又は聴覚的に確認することができる。【００２９】
請求項８に記載のように、前記通電監視回路には、前記電源電圧が設定電圧以下になると点灯若しくは点滅する電池消耗表示ＬＥＤが接続されていることも望ましい。【００３０】
このようにすれば、電源電圧が設定電圧以下になると、温度制御が正常に作用しなくなるおそれがあるので、電池消耗表示ＬＥＤが点灯若しくは点滅され、注意が喚起される。
【発明の効果】
【００３１】
本発明は、以上のように、治療部位（皮膚）に対しサーミスタ（発熱素子）を直接接触させた状態で、押しボタンスイッチを押すだけで前記サーミスタに電流が流れ、前記治療部位に対し瞬間的に熱痛刺激を与えることができるので、燔（はん）鍼を電気的に安全かつ簡単に行うことができる。特に発熱素子としてサーミスタを直接治療部位に接触させるようにしているので、皮膚による吸熱があっても、サーミスタを目標温度まで瞬間的に高めることができる。
【発明を実施するための最良の形態】
【００３２】
以下、本発明の実施の形態を図面に沿って説明する。【００３３】
図１は本発明の一実施の形態である燔（はん）鍼治療器の中央縦断面図、図２は図１のII-II線における断面図、図３は前記燔（はん）鍼治療器の分解図である。【００３４】
図１〜図３に示すように、燔（はん）鍼治療器１は、治療器本体２の先端ノーズ部に、フック部３ａを有するノーズキャップ３が着脱可能に設けられ、ペン型に形成されている。治療器本体２は、後述する回路基板２１や電池５（電源）が収納される中空筒状のケーシング４を有する。この中空ケーシング４は、メインケース４Ａと、そのメインケース４Ａの前側に結合されるノーズケース４Ｂと、メインケース４Ｂの後側に結合されるケースキャップ４Ｃとを備える。【００３５】
メインケース４Ａは、円筒形状で、内部に電源としての２つの電池５（例えばリチウム電池）が収納されている。ノーズケース４Ｂは、後側に位置する大径の後側円筒部４Ｂａと、前側に位置する小径の前側円筒部４Ｂｂと、それらの間に設けられ前側になるほど直径が小さくなる中間テーパ部４Ｂｃとを備える。このノーズケース４Ｂ内に、このノーズケース４Ｂの内部形状に対応する平板形状を有する回路基板２１が収納されている。つまり、回路基板２１は、後側円筒部４Ｂａ内に配置される後側基板部２１Ａと、前側円筒部４Ｂｂ内に配置される前側基板部２１Ｂと、中間テーパ部４Ｂｃ内に配置されるテーパ基板部２１Ｃとを有する。【００３６】
前側基板部２１Ｂ（回路基板２１）の先端面２１ａは、図４に示すように、平坦な面とされ、その平坦な先端面２１ａに、治療部位に直接接触することになる発熱素子であるサーミスタ１１が取付固定されている。このサーミスタ１１は、直方体形状（あるいは立方体形状）のサーミスタ本体１１Ａの両側に電極部１１Ｂ，１１Ｃを備えるもので、このサーミスタ１１の、平坦な取付面１１ａを先端面２１ａに接触させた状態で（あるいは接触させた状態で接着して）、前側基板部２１Ｂ（回路基板２１）の配線パターン２１ｂにハンダ１２により電気的に接続されると共に固定される。サーミスタ１１は、使用者（施術者）が患部などの治療部位に直接接触させるもので、発熱して熱痛刺激を与える機能だけでなく、治療部位との接触部分の温度を検出する機能も有する。なお、サーミスタ１１(発熱素子）の接触面積は、０．７５〜２．７５ｍｍ2の範囲で治療部位に応じて適宜選択されるが、望ましくは０．７５〜２．００ｍｍ2の範囲であり、この実施の形態では、１ｍｍ2に設定されている。【００３７】
サーミスタ１１が前側基板部２１Ｂに取付固定された状態で、回路基板２１がノーズケース４Ａ内に挿入されると、回路基板２１が取り付けられた状態では、サーミスタ１１は前側円筒部４Ｂｂの先端部分から露出することになる。つまり、前側基板部２１Ｂの先端面２１ａが前側円筒部４Ｂｂの先端面４ａとほぼ面一とされ、サーミスタ１１がケーシング４の先端部分（前側円筒部４Ｂｂの先端面４ａ）から若干突出して露出することになり、治療部位に直接接触させることができるようになる。【００３８】
また、前側基板部２１Ｂの、サーミスタ１１が取り付けられている部分付近と、前側円筒部４Ｂｂとの間の空間部には、接着機能を有する充填剤２２（例えばシリコン接着剤）が充填されている。これにより充填剤２２によって前記空間部が埋められると共に、サーミスタ１１と前側基板部２１Ｂとが前側筒状部４Ｂｂに強固に固定される。このように充填剤２２によって固定されることで、サーミスタ１１を治療部位に強く接触させる使用を繰り返ししても、サーミスタ１１がケーシング４あるいは回路基板２１から外れないようになっている。【００３９】
回路基板２１には、サーミスタ１１の温度を管理あるいは制御するための制御回路３１が設けられている。また、回路基板２１の後側基板部２１Ａには、サーミスタ１１への通電のための押しボタンスイッチ１４が外部から押圧可能なように設けられ、その外側にシリコンゴムからなる筒状カバー１５を設けて滑り止めの効果を持たせている。つまり、押しボタンスイッチ１４のノブ１４ａが、後側円筒部４Ｂａの第１の開口４ｂを通じて外部に突出し、その突出部分（ノブ１４ａ）が、例えばシリコンゴムからなる筒状カバー１５にて覆われている。後側基板部２１Ａの、押しボタンスイッチ１４とは反対側の部分には、温度調整用可変抵抗器１８が設けられ、その調整器１８の前側に通電報知ブザー１９が設けられている。なお、目標温度は、例えば６５℃（±３℃）に設定され、後側円筒部４Ｂａの第２の開口４ｃは通常シール材（図示せず）にて覆われ、外部から見えないようにしているが、その第２の開口４ｃを通じて工具（図示せず）を温度調整用可変抵抗器１８に適用することで、温度調整することは可能である。このことによって、今後より一層効果的な温度設定での治療器の提供も可能にしている。また、体幹部や頭部、顔面部では比較的温度感覚の閾値が低く、四肢では閾値が高いことから、体幹部や頭部・顔面部用の燔（はん）鍼治療器と四肢用の温度を若干高く設定した燔（はん）鍼治療器の提供も可能にしている。【００４０】
また、テーパ基板部２１Ｃの先端部分付近には、電池５の消耗状態を表示する、例えば赤色の第１の表示ＬＥＤ１６（電池消耗表示ＬＥＤ）と、通電状態を表示する、例えば緑色の第２の表示ＬＥＤ１７（通電表示ＬＥＤ）が並んで設けられている。そして、中間テーパ部４Ｂｃの透光可能な樹脂材料（例えば、ＡＢＳ樹脂）で形成され、表示ＬＥＤ１６，１７の点灯を、中間テーパ部４Ｂｃを通じて外部から、使用者(施術者）が容易に視認できるようになっている。【００４１】
後側基板部２１Ａの後端には、電池５のプラス端子が接触し制御回路３１に接続される接続端子部２３が設けられ、ケースキャップ４Ｃ内には、電池５のマイナス端子に接触し制御回路３１に接続されるスプリング２４が設けられている。【００４２】
制御回路３１は、図５に示すように、通電監視回路３１Ａと、温度制御回路３１Ｂと有し、電池５と、サーミスタ１１との間には押しボタンスイッチ１４が設けられている。そして、温度制御回路３１Ｂは、押しボタンスイッチ１４の押圧により通電されると、第２の表示ＬＥＤ１７を点灯（若しくは点滅）すると共に、通電報知ブザー１９を鳴動させるようになっており、通電状態であることを使用者に報知する。つまり、第２の表示ＬＥＤ１７とブザーとが、通電状態を使用者に知らせる通電報知手段として機能する。【００４３】
通常の鍼灸治療では、灸治療が一般的に併用されているが、盲人鍼灸師にとっては、施灸時の艾への火の点火が困難であり、ほとんど灸治療が行えないのが現状である。そういった場合に対しても、スイッチおよび通電報知ブザーは、便宜を提供するものである。【００４４】
温度制御回路３１Ａには、サーミスタ１１によって検知される治療部位の温度に対応する信号がフードバックされ、押しボタンスイッチ１４の押圧の際にサーミスタ１１が目標温度（例えば６５℃±３℃）になるまでサーミスタ１１への通電が継続され、治療部位の温度が目標温度になると、前記通電が遮断されるようになっている。【００４５】
なお、この目標温度は、灸治療の最低温度とも近似した温度であり、灸治療の代用器としても活用しうる汎用性を持っている。つまり、燔（はん）鍼治療器を、日常臨床で多用されている灸治療においても、上質艾を皮膚面上で燃焼する場合には、６０℃〜８０℃であり、温度調整用可変抵抗器１８にて目標温度を、前記６０℃〜８０℃の範囲で調整することで灸治療にも利活用することも可能である。【００４６】
通電監視回路３１Ｂにはタイマー回路３１Ｃが接続され、サーミスタ１１への通電が一定時間（例えば、１．２秒）以上継続されると、低温やけどを防止するために、押しボタンスイッチ１４の押圧の有無にかかわらず、サーミスタ１１への通電を遮断するようになっている。つまり、被験者４名について、６５℃の温熱を与え続けると、我慢できない熱さを感じる限界が１．２秒であり、１．５秒以上我慢すると、軽度の発赤が発生し、第１度のやけどとなることから、通電時間を１．２秒を超えないようにしている。【００４７】
また、通電監視回路３１Ｂは、電池５の電圧を監視する機能を有し、電池５の電圧が設定電圧以下の低電圧になると、第１の表示ＬＥＤ１６を点灯（若しくは点滅）し、電池５が消耗していることが報知される。この電池消耗状態では、通電監視回路３１Ｂにおいて、サーミスタ１１への通電が遮断される。【００４８】
よって、治療部位に対しサーミスタ１１を直接接触させた状態で、押しボタンスイッチ１４を押すことで、ほとんど時間遅れを生ずることなく、サーミスタ１１に加熱用電流が流れ、ほぼ同時にサーミスタ１１の温度上昇が始まる。サーミスタ１１が目標温度となると、加熱電流が遮断され、０．０２５秒程度の熱応答遅れの後、サーミスタの温度の下降が始まる。前記目標温度になると、熱痛刺激（チクリとした軽度の熱痛感）を瞬間的に与えることができる。【００４９】
このように、治療部位にサーミスタ１１を直接に接触させて、押しボタンスイッチ１４を押すだけであるので、燔（はん）鍼を電気的に安全かつ簡単に行うことができる。なお、この燔（はん）鍼治療器１は、動作時のつっぱり、引きつり、痙攣、痛みなどの経筋病を対象とするほか、灸治療の代用器、スポット的な温熱刺激装置としても用いることができる。【００５０】
続いて、前記燔（はん）鍼治療器を用いて熱源と患者の皮膚との間の温度変化を、目標温度を（やけどが起こりにくい）６５℃として測定した結果を、図６（ａ）に示す。比較のために、従来より使用されている温灸器（モグサ灸）を用いて熱源と患者の皮膚との間の温度変化を、目標温度を４５℃として測定した結果を、図６（ｂ）に示す。【００５１】
図６（ａ）に示す燔（はん）鍼治療器の場合には、先端の加熱部と皮膚表面との間の温度は、０．７秒前後で目標温度（最高加熱温度）に達し、その目標温度の維持時間は０．５秒以下であるが、温灸器の場合には、図６（ｂ）に示すように、１５０秒前後で目標温度に達し、目標温度を２４０秒前後維持する。【００５２】
よって、燔（はん）鍼治療器によれば、前記急激な温度上昇が焼き針を刺したときの強い刺激感になり、１秒以下で目標温度に達し、１秒程度で皮膚温度に戻るため、燔（はん）鍼治療の場合の手技に近い温度変化を付与することが可能となる。このような急激な温度変化は、従来の温灸器（図６（ｂ）参照）では得ることができない。【００５３】
サーミスタ１１（発熱素子）は定期的にアルコール綿花等で清拭して使用するような配慮が必要である。なお、皮膚面上に傷がある場合、出来物や皮膚病がある場合には、使用しないことを徹底すれば、感染の可能性は極めて小さい、と考えられる。また、患者の体液等が付着する可能性も極めて小さいと考えられるが、消毒モードを有する構成とすることも可能である。例えば、通常時は可変抵抗器１８の設定値を６５℃とするが、消毒モードのときには、前記設定値が１１０℃となり１．２秒通電するスイッチを別途設け、そのスイッチを操作するようにすれば、簡単に実現することができる。【００５４】
ところで、温度制御はサーミスタを直接に皮膚に接触させ、通電により発熱させるため、温度に対する抵抗値の変化の遅れはほとんどないと考えられるが、サーミスタ１１において、温度−抵抗の関係は一定の関係があるので、抵抗の変化＝電圧の変化を制御回路３１で監視することにより正確な温度設定および温度制御を行っている。
【図面の簡単な説明】
【００５５】
【図１】本発明の一実施の形態である燔（はん）鍼治療器の中央縦断面図である。
【図２】図１のII-II線における断面図である。
【図３】前記燔（はん）鍼治療器の分解図である。
【図４】サーミスタの取付状態を示す詳細図である。
【図５】前記燔（はん）治療器の電気系統の説明図である。
【図６】（ａ）は前記燔（はん）鍼治療器を用いて熱源と患者の皮膚との間の温度変化を、目標温度６５℃として測定した結果を示す図、（ｂ）は従来より使用されている温灸器（モグサ灸）を用いて熱源と患者の皮膚との間の温度変化を、目標温度４５℃として測定した結果を示す図である。
【符号の説明】
【００５６】
１    燔（はん）鍼治療器
４    ケーシング
４Ｂｂ    前側円筒部
５    電池
１１    サーミスタ（発熱素子）
１１ａ    取付面
１１Ａ    サーミスタ本体
１１Ｂ，１１Ｃ    電極部
１２    ハンダ
１４    押しボタンスイッチ
１６    第１の表示ＬＥＤ（電池消耗表示ＬＥＤ）
１７    第２の表示ＬＥＤ（通電表示ＬＥＤ）
２１    回路基板
２１Ｂ    前側基板部
２１ａ    先端面
２１ｂ    配線パターン
２２    充填剤
３１    制御回路
３１Ａ    通電監視回路
３１Ｂ    温度制御回路
３１Ｃ    タイマー回路
【図１】
2009098905.tif 000003
【図２】
2009098905.tif 000004
【図３】
2009098905.tif 000005
【図４】
2009098905.tif 000006
【図５】
2009098905.tif 000007
【図６】
2009098905.tif 000008
【国際調査報告】
2009098905.tif 000009
2009098905.tif 000010
2009098905.tif 000011
2009098905.tif 000012